(57)【要約】【課題】  浴槽の湯水を増やさずに循環噴出させることで、例えば常に半身浴を維持した状態でもって入浴者の両肩および背中に向けて浴槽の湯水を噴出できるようにする。【解決手段】  圧力供給装置２に接続し、浴槽Ｐ内の湯水を湯水供給管４を通して加圧揚上するよう浴槽Ｐ内に配置した水中ポンプ装置３と、湯水供給管４の先端に揺動可能に枢着し、水中ポンプ装置３によって湯水供給管４を通って揚上した浴槽Ｐ内の湯水を浴槽Ｐの上側から内方に向けて噴出するシャワー噴出具７と、入浴者Ｑの両肩および背中に対するシャワー噴出具７の位置決めが行えるよう浴槽Ｐに湯水供給管４を固定する取付手段１１とを有する。【選択図】      図２
2005152575.tif 000002
【特許請求の範囲】
【請求項１】
入浴者の両肩および背中に向けて浴槽内の湯水を噴出する浴湯循環式シャワー装置であって、圧力供給装置に接続され、浴槽内の湯水を湯水供給管を通して加圧揚上させるよう浴槽内に配置される水中ポンプ装置と、湯水供給管の先端に揺動可能に枢着され、水中ポンプ装置によって湯水供給管を通って揚上された浴槽内の湯水を浴槽の上側から内方に向けて噴出させるシャワー噴出具と、入浴者の両肩および背中に対するシャワー噴出具の位置決めが行えるよう浴槽に湯水供給管を固定させる取付手段とを有することを特徴とする浴湯循環式シャワー装置。
【請求項２】
シャワー噴出具は、湯水供給管の先端に取り付けられた二股分岐管に互いに揺動可能に枢支された左右一対の可動アーム管それぞれの先端に、汚物除去用のフィルターを内蔵したノズル部が装着されて成る請求項１記載の浴湯循環式シャワー装置。
【請求項３】
水中ポンプ装置は、入浴者が座れるよう浴槽内に載置される椅子の内部に隠蔽配置されている請求項１または２記載の浴湯循環式シャワー装置。
【請求項４】
取付手段は、浴槽の壁面に吸盤によって固定されるベース部と、湯水供給管がスライド自在に装着されるようベース部から突設された左右一対の把持アーム片とから成る請求項１乃至３のいずれか記載の浴湯循環式シャワー装置。
【請求項５】
取付手段は、浴槽の壁部上面に吸盤によって固定される略Ｌ字形に折曲して成るベース部と、ベース部の起立したＬ字一端側に上下スライド可能に挿入され、湯水供給管がスライド自在に装着されるよう側面に左右一対の把持アーム片が形成されて成る摺動部と、ベース部に対し摺動部が任意の高さ位置で保持されるようＬ字一端側に備えた固定手段とから成る請求項１乃至４のいずれか記載の浴湯循環式シャワー装置。
【請求項６】
固定手段は、略Ｌ字形パイプ状に形成されたベース部の垂直パイプ側に挿入された柱状の摺動部を任意の高さ位置で保持させるよう当該垂直パイプ上端に装着されて垂直パイプと共に摺動部を挟圧可能にした締め付け固定リングによって形成されている請求項５記載の浴湯循環式シャワー装置。
【発明の詳細な説明】
【技術分野】
【０００１】
本発明は、例えば半身浴をしている入浴者に対し、寒さを感じた時に、入浴者の両肩および背中に向けて湯水を噴出することで身体全体を暖めることができ、しかもマッサージ効果を得ることも可能にした浴湯循環式シャワー装置に関するものである。
【背景技術】
【０００２】
従来、マッサージ効果を得る浴槽としては、浴槽の内壁一部に設けられた噴出ノズルから入浴者に向けて湯水を噴出したものが多くある。また、浴槽内の湯水中に身体全体をつけて入浴する全身浴は、入浴者の心臓部にかかる水圧によって負担が伴い、健康上好ましくはないといわれている。そこで近年では、下半身のみを浴槽内の湯水につけてリラックスした状態で入浴できる半身浴が注目されている。
【特許文献１】特になし
【発明の開示】
【発明が解決しようとする課題】
【０００３】
しかしながら、半身浴は、浴槽内の湯水から上半身を露出しているために、上半身では寒さを感じる場合がある。これを解消すべく湯水を入浴者の上半身にかけることもあり、そのためにこのような湯水を噴出させるためのシャワー装置を、浴槽の蛇口から引き出させた場合には、浴槽内の湯水が増して全身が湯水に浸かってしまい半身浴ができないものとなる問題点を有していた。
【０００４】
そこで本発明は叙上のような従来存した諸事情に鑑み創出されたもので、例えば半身浴をしている入浴者に対し、寒さを感じた時に、浴槽内の湯水を増やさずに当該浴槽の湯水を循環させることで、常に半身浴を維持した状態でもって入浴者の両肩および背中に向けて浴槽の湯水を噴出して身体全体を効果的に暖めたり、あるいはかけ湯効果を発揮したりでき、しかも肩凝りを解すマッサージ効果を得ることをも可能にした浴湯循環式シャワー装置を提供することを目的とする。
【課題を解決するための手段】
【０００５】
上述した課題を解決するため、本発明にあっては、入浴者Ｑの両肩および背中に向けて浴槽Ｐ内の湯水を噴出する浴湯循環式シャワー装置１であって、圧力供給装置２に接続され、浴槽Ｐ内の湯水を湯水供給管４を通して加圧揚上させるよう浴槽Ｐ内に配置される水中ポンプ装置３と、湯水供給管４の先端に揺動可能に枢着され、水中ポンプ装置３によって湯水供給管４を通って揚上された浴槽Ｐ内の湯水を浴槽Ｐの上側から内方に向けて噴出させるシャワー噴出具７と、入浴者Ｑの両肩および背中に対するシャワー噴出具７の位置決めが行えるよう浴槽Ｐに湯水供給管４を固定させる取付手段１１とを有する浴湯循環式シャワー装置１としたものである。
シャワー噴出具７は、湯水供給管４の先端に取り付けられた二股分岐管５に互いに揺動可能に枢支された左右一対の可動アーム管９それぞれの先端に、汚物除去用のフィルター１０を内蔵したノズル部８が装着されて成るものとできる。
水中ポンプ装置３は、入浴者Ｑが座れるよう浴槽Ｐ内に載置される椅子Ｒの内部に隠蔽配置されているものとできる。
取付手段１１は、浴槽Ｐの壁面に吸盤１３によって固定されるベース部１２と、湯水供給管４がスライド自在に装着されるようベース部１２から突設された左右一対の把持アーム片１４とから成るものとできる。
取付手段１１は、浴槽Ｐの壁部上面に吸盤１３によって固定される略Ｌ字形に折曲して成るベース部１２と、ベース部１２の起立したＬ字一端側に上下スライド可能に挿入され、湯水供給管４がスライド自在に装着されるよう側面に左右一対の把持アーム片１４が形成されて成る摺動部１５と、ベース部１２に対し摺動部１５が任意の高さ位置で保持されるようＬ字一端側に備えた固定手段２１とから成るものとできる。
固定手段２１は、略Ｌ字形パイプ状に形成されたベース部１２の垂直パイプ２３側に挿入された柱状の摺動部１５を任意の高さ位置で保持させるよう当該垂直パイプ２３上端に装着されて垂直パイプ２３と共に摺動部１５を挟圧可能にした締め付け固定リング２２によって形成されているものとできる。
【０００６】
以上のように構成された本発明に係る浴湯循環式シャワー装置１にあって、浴槽Ｐ内に設置された椅子Ｒの内部に隠蔽配置されている水中ポンプ装置３は、例えば浴室外等に設置されている圧力供給装置２のバイブレーション駆動により発生する圧縮空気の給送によって、浴槽Ｐ内の湯水を湯水供給管４を通して加圧揚上させ、シャワー噴出具７から浴槽Ｐの内方に向けて浴槽Ｐ内の湯水を噴出させる。
このとき、シャワー噴出具７を入浴者Ｑの肩側近傍に配置するよう湯水供給管４を装着する左右一対の把持アーム片１４を備えた取付手段１１により、浴槽Ｐ内の壁面である例えば外側面もしくは内側面等に対し湯水供給管４を上下スライドさせると同時に、湯水供給管４の先端に取り付けられた二股分岐管５に対し左右一対の可動アーム管９を互いに任意方向に揺動させて角度調整を行うことでノズル部８を半身浴状態の入浴者Ｑの両肩および背中に向けさせる。
取付手段１１におけるベース部１２は吸盤１３によって浴槽Ｐの壁部上面に固定され、また摺動部１５は、把持アーム片１４自体をベース部１２に対して上下スライドさせると共に、固定手段２１は摺動部１５を任意の高さ位置で保持させる。
締め付け固定リング２２は、自体のねじ込みによって垂直パイプ２３と共に摺動部１５を挟圧保持させ、摺動部１５を任意の高さ位置で保持させる。
【発明の効果】
【０００７】
以上のような本発明によれば、半身浴をしている入浴者Ｑに対し、例えば寒さを感じた時に、浴槽Ｐ内の湯水を増やさずに当該浴槽Ｐの湯水を循環させることで、常に半身浴を維持した状態でもって入浴者Ｑの両肩および背中に向けて浴槽Ｐの湯水を噴出して身体全体を効果的に暖めたり、あるいはかけ湯効果を発揮したりでき、しかも肩凝りを解すマッサージ効果をも得ることを可能にする。
【０００８】
すなわちこれは本発明が、浴槽Ｐ内に配置される水中ポンプ装置３と、水中ポンプ装置３によって湯水供給管４を通って揚上された浴槽Ｐ内の湯水を浴槽Ｐの上側から内方に向けて噴出させるシャワー噴出具７と、浴槽Ｐに湯水供給管４を固定させる取付手段１１とを有するからである。そしてこれにより、例えば半身浴をしている入浴者Ｑに対し、寒さを感じた時に、浴槽Ｐ内の湯水を増やさずに当該浴槽Ｐの湯水を容易に循環させることができ、お腹付近までの湯水量を常に維持しておくことができ、しかも浴槽Ｐ内の湯水を浴槽Ｐの上側から内方に向けて噴出させるようにして成るシャワー噴出具７により、例えば半身浴状態の入浴者Ｑの両肩および背中に向けて浴槽Ｐの湯水を確実に噴出することができる。
【０００９】
シャワー噴出具７は、湯水供給管４の先端の二股分岐管５に揺動可能に枢支された左右一対の可動アーム管９それぞれの先端に、汚物除去用のフィルター１０を内蔵したノズル部８が装着されて成るので、二股分岐管５に対し左右一対の可動アーム管９を互いに任意方向に揺動調整させることでノズル部８を入浴者Ｑの両肩および背中に的確に向けさせることができ、しかもフィルター１０により湯垢等を完全に除去した状態で浴槽Ｐ内の湯水を噴出させることができる。
【００１０】
水中ポンプ装置３は、入浴者Ｑが座れるよう浴槽Ｐ内に載置される椅子Ｒの内部に隠蔽配置されているので、入浴中邪魔にならず、水中ポンプ装置３に躓くというような支障がなくなり、しかも使用しないときの水中ポンプ装置３自体の撤去も容易である。
【００１１】
取付手段１１は、浴槽Ｐの壁面に吸盤１３によって固定されるベース部１２と、湯水供給管４がスライド自在に装着されるようベース部１２から突設された左右一対の把持アーム片１４とから成るので、湯水供給管４自体を把持アーム片１４内で上下スライドさせることで、例えば半身浴状態の入浴者Ｑの両肩および背中に対するシャワー噴出具７自体の高さ位置の調整が容易に行え得る。
【００１２】
取付手段１１は、浴槽Ｐの壁部上面に吸盤１３によって固定される略Ｌ字形に折曲して成るベース部１２と、ベース部１２の起立したＬ字一端側に上下スライド可能に挿入され、湯水供給管４がスライド自在に装着されるよう側面に左右一対の把持アーム片１４が形成されて成る摺動部１５と、ベース部１２に対し摺動部１５が任意の高さ位置で保持されるようＬ字一端側に備えた固定手段２１とから成るので、湯水供給管４を把持アーム片１４内で上下スライドさせずに、摺動部１５により把持アーム片１４自体をベース部１２に対して上下スライドさせることで、シャワー噴出具７自体を、例えば半身浴状態の入浴者Ｑの両肩および背中に向くような高さ位置に容易に設定することができる。
【００１３】
固定手段２１は、略Ｌ字形パイプ状に形成されたベース部１２の垂直パイプ２３側に挿入された柱状の摺動部１５を任意の高さ位置で保持させるよう当該垂直パイプ２３上端に装着されて垂直パイプ２３と共に摺動部１５を挟圧可能にした締め付け固定リング２２によって形成されているので、シャワー噴出具７の上下スライド調整及び調整後に設定された高さ位置のの保持が容易に行える。
【００１４】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１５】
以下図面を参照して本発明を実施するための最良の一形態を説明すると、図において示される符号１は、例えば半身浴をしている入浴者Ｑの両肩および背中に向けて湯水を噴出するための浴湯循環式のシャワー装置であり、このシャワー装置１は、図１に示すように、電気コード１６をコンセント１７に差し込んだ状態で浴室のドア外に設置されるスイッチ付きの圧力供給装置２と、圧力供給装置２に空気供給管６で連結された状態で浴室内の浴槽Ｐ内底部に配置される水中ポンプ装置３と、水中ポンプ装置３に接続された湯水供給管４を介して浴槽Ｐの壁面上方側へ引き出し配置されるシャワー噴出具７と、湯水供給管４を後述するように例えば上下方向にスライド可能となるように固定させる取付手段１１とから概ね構成される。
【００１６】
図２に示すように、圧力供給装置２は、バイブレーション駆動により空気の圧搾膨張を繰り返すことで任意の圧力の圧縮空気を発生させ、空気供給管６を通じて水中ポンプ装置３内に送り出すようになっている。この圧力供給装置２は例えば浴室のドア外の壁面下側に掛架状に設置され、これに接続した空気供給管６だけをドア下側の隙間等から浴室内に引き込むようにしてから、浴室内の浴槽Ｐ内底部に配置された水中ポンプ装置３に接続してある。
【００１７】
水中ポンプ装置３は、これの上側中央の突起管状の差込部に、可撓性のある湯水供給管４の一端開口側が差し込まれ、取付手段１１を介して浴槽Ｐ内の壁面に沿って直立配置させた湯水供給管４の他端開口側にはシャワー噴出具７が装着される。そして圧力供給装置２のバイブレーション駆動により供給された圧縮空気による周期的な繰り返し押圧作用でもって、浴槽Ｐ内の湯水を湯水供給管４を通して加圧揚上させ、湯水供給管４の先端に装着されているシャワー噴出具７から浴槽Ｐの内方に向けて浴槽Ｐ内の湯水を噴出させるものとしてある。この噴出された湯水は浴槽Ｐ内に戻され、湯水供給管４を通して再びシャワー噴出具７側へ加圧揚上させられるものである。
【００１８】
図３に示すように、水中ポンプ装置３は、入浴者Ｑが半身浴の状態で座るために浴槽Ｐ内底の壁面寄りに置かれた腰掛け用の椅子Ｒの内部あるいは下側に隠蔽配置される。このとき空気供給管６と湯水供給管４とは、浴槽Ｐの底面と椅子Ｒの脚部との間に形成される隙間から椅子Ｒ内部に導入されるようにしてある。また、水中ポンプ装置３自体は椅子Ｒの内部で転倒しないように、下面側に重量性を持たせるか、あるいは上面側を椅子Ｒの座部下面側で保持させるか等の工夫をしてある。尚、椅子Ｒの座部下面側に水中ポンプ装置３を装着するためのケーシング部分を設けてあっても良い。
【００１９】
図４に示すように、シャワー噴出具７は、湯水供給管４の先端開口側に略Ｙ字型に分岐している二股分岐管５が連結され、この二股分岐管５の両分岐先端側それぞれには略Ｌ字形もしくは略円弧形等に湾曲した可動アーム管９が例えば水密Ｏリング１８を介して揺動ないしは回転可能に枢着された状態で連結されている。そして可動アーム管９の先端には、湯垢等を除去した状態で浴槽Ｐ内の湯水を噴出させるべく汚物除去用のフィルター１０を内蔵したノズル部８が装着されている。こうすることで二股分岐管５に対し左右一対の可動アーム管９は互いに任意角度で揺動させることができるものとなり、ノズル部８を入浴者Ｑの両肩および背中に的確に向けさせることができるよう可動アーム管９自体の角度調整を容易なものにしている。
【００２０】
取付手段１１は、半身浴状態の入浴者Ｑの両肩および背中に対するシャワー噴出具７の高さ調整を可能にするために、浴槽Ｐの例えば上側寄り外壁面に対し湯水供給管４を上下スライド可能に固定させる構成となっている。具体的な取付手段１１の構成としては、例えば図２に示すように、略縦長楕円形を呈する板状のベース部１２の略中央に、円弧状に形成された左右一対の把持アーム片１４が突設してあり、ベース部１２の上側には浴槽Ｐの上側外壁面に吸着固定させるための吸盤１３が取り付けられている。このベース部１２の左右一対の把持アーム片１４間に湯水供給管４がスライド可能に嵌挿され、途中を略Ｕ字状に撓曲した状態にしてから浴槽Ｐ内に導入させてポンプ装置３に接続してあり、シャワー噴出具７の高さ位置調整に際し、左右一対の把持アーム片１４間で湯水供給管４を上下方向にスライド移動させられるようにしてある。このとき取付手段１１自体は入浴者Ｑの背中に直接触れることがないので、入浴の妨げにならないものとなっている。
【００２１】
また、浴槽Ｐに対する取付手段１１の他の設置例として、左右一対の把持アーム片１４間に湯水供給管４がスライド可能に嵌挿されているベース部１２の裏面側にある吸盤１３を浴槽Ｐの上側内壁面に吸着固定させるようにしても良い。
【００２２】
図５には取付手段１１の他の形態が示されており、この場合、ベース部１２を略Ｌ字形パイプ状に形成し、Ｌ字パイプ一端側を例えば浴室壁と段差状に連なる浴槽Ｐの壁部上面に吸盤１３によって固定させると共に、ベース部１２の起立した垂直パイプ２３側には、湯水供給管４を装着するための左右一対の把持アーム片１４が形成されて成る柱状の摺動部１５を上下スライド可能に挿入し、ベース部１２に対し摺動部１５が任意の高さ位置で保持されるよう固定手段２１が設けられている。この固定手段２１としては、例えば垂直パイプ２３上端に装着されて垂直パイプ２３と共に摺動部１５を挟圧可能にした締め付け固定リング２２等によって形成される。
【００２３】
次に、本発明の構成による使用、動作について説明すれば、図１に示すように、圧力供給装置２の電気コード１６をコンセント１７に差し込み、浴室のドア外の壁面下側に圧力供給装置２を設置しておく。圧力供給装置２に空気供給管６の一端開口側を連結してから空気供給管６だけをドア下側の隙間等から浴室内に引き込むようにした後、他端開口側を水中ポンプ装置３に連結する。また水中ポンプ装置３に湯水供給管４の一端開口側を連結し、湯水供給管４の他端開口側に二股分岐管５を介して可動アーム管９を連結する。水中ポンプ装置３を半身浴可能な状態の湯水量に満たされた浴槽Ｐの内底部に配置し、取付手段１１の左右一対の把持アーム片１４に湯水供給管４を装着してからベース部１２を吸盤１３を介して浴槽Ｐの外壁面上側に固定することにより、シャワー噴出具７側を浴槽Ｐの壁面上方側から浴槽Ｐの内方に向けるように引き出し配置しておく。
【００２４】
入浴者Ｑが例えば半身浴の状態で座るために浴槽Ｐ内底の壁面寄りに腰掛け用の椅子Ｒを置く。このとき、椅子Ｒの内部に水中ポンプ装置３を隠蔽配置する。次に、入浴者Ｑの体型や入浴姿勢に合わせてシャワー噴出具７を調整する。このとき図４に示すように、取付手段１１の把持アーム片１４に対し湯水供給管４を上下方向にスライド移動させることでシャワー噴出具７の高さ位置を調整し、また二股分岐管５に対して互いに可動アーム管９を揺動することでノズル部８の角度位置を調整する。
【００２５】
圧力供給装置２のスイッチを入れると、浴槽Ｐ内に載置された椅子Ｒの内部に隠蔽配置されている水中ポンプ装置３は、圧力供給装置２のバイブレーション駆動により発生する圧縮空気の給送によって、浴槽Ｐ内の湯水を湯水供給管４を通して加圧揚上させ、シャワー噴出具７から半身浴状態の入浴者Ｑの両肩および背中に向けて湯水を噴出する。この噴出した湯水は浴槽Ｐ内に戻され、湯水供給管４を通して再びシャワー噴出具７側へ加圧揚上されるのである。
【図面の簡単な説明】
【００２６】
【図１】本発明を実施するための最良の形態を示す使用状態における浴室内部の概略断面図である。
【図２】同じくシャワー装置の概略構成を示す斜視図である。
【図３】同じく椅子内部に水中ポンプ装置を隠蔽した状態を示すシャワー装置の断面図である。
【図４】同じく取付手段によってシャワー噴出具を保持した状態の一部縦断正面図である。
【図５】取付手段の他例を示す斜視図である。
【符号の説明】
【００２７】
Ｐ…浴槽                                Ｑ…入浴者
Ｒ…椅子
１…シャワー装置                        ２…圧力供給装置
３…水中ポンプ装置                      ４…湯水供給管
５…二股分岐管                          ６…空気供給管
７…シャワー噴出具                      ８…ノズル部
９…可動アーム管                        １０…フィルター
１１…取付手段                          １２…ベース部
１３…吸盤                              １４…把持アーム片
１５…摺動部                            １６…電気コード
１７…コンセント                        １８…水密Ｏリング
２１…固定手段                          ２２…締め付け固定リング
２３…垂直パイプ
【図１】
2005152575.tif 000003
【図２】
2005152575.tif 000004
【図３】
2005152575.tif 000005
【図４】
2005152575.tif 000006
【図５】
2005152575.tif 000007